(57)【要約】【課題】投稿者及び閲覧者の利便性を向上しつつ趣味・嗜好のアイテムを公開する。【解決手段】情報提供システム１は、投稿者端末のユーザー端末３と、閲覧者端末のユーザー端末３と、投稿者端末及び閲覧者端末と通信可能なサーバ２とを備える。投稿者端末は、趣味・嗜好のアイテムを示すアイテム情報５を投稿に応じてサーバ２へ送信する。サーバ２は、投稿されたアイテム情報５を格納し、閲覧要求に応じてアイテム情報５を閲覧者端末へ送信する。閲覧者端末は、アイテム情報５を一覧画面に表示し、アイテム情報５の買取オファーの操作を受けると、このアイテム情報５を投稿した投稿者端末へ買取オファーを送信する。投稿者端末は、買取オファーに対する成立又は拒否をサーバ２へ送信する。サーバ２は、買取オファーが成立の場合、投稿者端末と閲覧者端末との取引ナビゲーションを確立し、買取オファーが拒否の場合、閲覧者端末へ拒否を送信する。【選択図】図１
2019215613.tif 000002
【特許請求の範囲】
【請求項１】
投稿者端末と、
閲覧者端末と、
前記投稿者端末及び前記閲覧者端末と通信可能に接続されるサーバと、を備え、
前記投稿者端末は、投稿者の趣味・嗜好のアイテムを示すアイテム情報を、該投稿者の投稿に応じて前記サーバへ送信し、
前記サーバは、前記投稿者端末から投稿された前記アイテム情報を受信して格納し、
前記閲覧者端末からの閲覧要求に応じて、格納している前記アイテム情報を前記閲覧者端末へ送信し、
前記閲覧者端末は、前記サーバから受信した前記アイテム情報を一覧画面で選択可能に表示し、
前記一覧画面で選択された所定のアイテム情報に対応する所定のアイテムの買取オファーの操作を受け付け、
前記買取オファーの操作に応じて、前記所定のアイテム情報を投稿した所定の前記投稿者端末に向けた前記買取オファーを前記サーバへ送信し、
前記サーバは、前記閲覧者端末から前記買取オファーを受信して前記所定の投稿者端末へ送信し、
前記所定の投稿者端末は、前記買取オファーを受信して、前記買取オファーに対する成立又は拒否の選択を受け付け、選択された成立又は拒否を前記サーバへ送信し、
前記サーバは、前記所定の投稿者端末から、前記買取オファーに対する成立を受信した場合には、前記所定の投稿者端末と前記閲覧者端末との間の取引ナビゲーションを確立し、
前記買取オファーに対する拒否を受信した場合には、前記閲覧者端末へ拒否を送信することを特徴とする情報提供システム。
【請求項２】
前記サーバは、前記投稿者端末毎の前記買取オファーの総買取額に基づいて、前記投稿者端末をランキング化することを特徴とする請求項１に記載の情報提供システム。
【発明の詳細な説明】
【技術分野】
【０００１】
本発明は、趣味・嗜好のアイテムを投稿及び閲覧可能な情報提供システムに関する。
【背景技術】
【０００２】
フィギュア、プラモデル、食玩等の趣味・嗜好のアイテムを保有しているユーザーは、質の高いアイテムや希少なアイテムを不特定多数の人に公開し、高い評価を受けることで欲求を満たすことができる。ユーザーがアイテムを公開するために、例えば、ブログやソーシャル・ネットワーキング・サービス（ＳＮＳ）等が利用されている。
【０００３】
例えば、特許文献１に記載の情報提供システムは、自身が購入した商品や自身が受けたサービスに関する情報を投稿する投稿者が操作する投稿者端末と、投稿者によって投稿された情報を閲覧する閲覧者が操作する閲覧者端末と、投稿者端末から投稿された情報を閲覧者端末に公開する情報公開装置と、自社が提供する商品やサービスに関する情報を提供する情報提供者が操作する情報提供者端末とを備える。
【先行技術文献】
【特許文献】
【０００４】
【特許文献１】特開２０１６−９４５０号公報
【発明の概要】
【発明が解決しようとする課題】
【０００５】
しかしながら、ブログやＳＮＳは、投稿者主体の情報発信システムであるため、閲覧者は投稿者毎にブログやＳＮＳを閲覧することになり、閲覧を所望するアイテムに到達するまでの経路が複雑である。更に、ブログやＳＮＳでは、アイテム以外に、他の多くの情報も公開されるので、アイテム閲覧を所望する閲覧者にとって、公開された情報の選り分けが困難である。なお、投稿者は、ＳＮＳを実名アカウントで利用していることがあり、アイテム公開の際に匿名を望む場合には、アイテム公開にＳＮＳを利用し難い。
【０００６】
ところで、閲覧者は、閲覧したアイテムの購入を望むことがあり、投稿者も、条件によってはアイテムの売却を許容することがある。しかしながら、アイテム公開のために利用されるブログやＳＮＳは、アイテムの売買を仲介するように構成されていないので、アイテム売買に適していない。
【０００７】
また、投稿者は、本来手放す予定のない、質の高いアイテムや希少なアイテムを公開するので、不要なアイテムの売り渡しを目的とするインターネットオークション等を利用して公開することはない。また、インターネットオークション等は、高品質の画像でアイテムを公開することができず、また、取引終了後のアイテムを閲覧不能になるので、アイテム公開を目的とする投稿者には利用されない。
【０００８】
そこで、本発明は上記事情を考慮し、投稿者及び閲覧者の利便性を向上しつつ趣味・嗜好のアイテムを公開することを目的とする。
【課題を解決するための手段】
【０００９】
上記課題を解決するために、本発明の第１の情報提供システムは、  投稿者端末と、閲覧者端末と、前記投稿者端末及び前記閲覧者端末と通信可能に接続されるサーバと、を備え、前記投稿者端末は、投稿者の趣味・嗜好のアイテムを示すアイテム情報を、該投稿者の投稿に応じて前記サーバへ送信し、前記サーバは、前記投稿者端末から投稿された前記アイテム情報を受信して格納し、前記閲覧者端末からの閲覧要求に応じて、格納している前記アイテム情報を前記閲覧者端末へ送信し、前記閲覧者端末は、前記サーバから受信した前記アイテム情報を一覧画面で選択可能に表示し、前記一覧画面で選択された所定のアイテム情報に対応する所定のアイテムの買取オファーの操作を受け付け、前記買取オファーの操作に応じて、前記所定のアイテム情報を投稿した所定の前記投稿者端末に向けた前記買取オファーを前記サーバへ送信し、前記サーバは、前記閲覧者端末から前記買取オファーを受信して前記所定の投稿者端末へ送信し、前記所定の投稿者端末は、前記買取オファーを受信して、前記買取オファーに対する成立又は拒否の選択を受け付け、選択された成立又は拒否を前記サーバへ送信し、前記サーバは、前記所定の投稿者端末から、前記買取オファーに対する成立を受信した場合には、前記所定の投稿者端末と前記閲覧者端末との間の取引ナビゲーションを確立し、前記買取オファーに対する拒否を受信した場合には、前記閲覧者端末へ拒否を送信することを特徴とする。
【００１０】
本発明の第１の情報提供システムによれば、趣味・嗜好のアイテムを投稿者に拘らず公開して閲覧することができる。これにより、アイテム公開の普及率が向上し、アイテムを探し易くなるため、閲覧者数を増加することができる。また、投稿者が、本来手放す予定のない、質の高いアイテムや希少なアイテムを公開している場合でも、閲覧者に買取の機会を与えることができる。これにより、投稿者によるアイテムの制作、収集、公開の意欲が向上する。このように、投稿者及び閲覧者の利便性を向上しつつ趣味・嗜好のアイテムを公開することが可能となる
【００１１】
上記課題を解決するために、本発明の第２の情報提供システムは、上述した本発明の第１の情報提供システムにおいて、前記サーバは、前記投稿者端末毎の前記買取オファーの総買取額に基づいて、前記投稿者端末をランキング化することを特徴とする。
【００１２】
本発明の第２の情報提供システムによれば、投稿者の投稿の競争率が向上すると共に投稿者の買取オファーに対する受諾が増加し、これに応じて閲覧者のアイテム閲覧の満足度を向上することができる。
【発明の効果】
【００１３】
本発明によれば、投稿者及び閲覧者の利便性を向上しつつ趣味・嗜好のアイテムを公開することが可能となる。
【図面の簡単な説明】
【００１４】
【図１】本発明の一実施形態に係る情報提供システムを概要的に示すブロック図である。
【図２】本発明の一実施形態に係る情報提供システムのユーザー端末に表示されるアイテム情報の一覧画面の例を示す正面図である。
【図３】本発明の一実施形態に係る情報提供システムのユーザー端末に表示されるアイテム情報の詳細画面の例を示す正面図である。
【図４】本発明の一実施形態に係る情報提供システムのユーザー端末に表示されるアイテム情報の鑑定履歴画面の例を示す正面図である。
【図５】本発明の一実施形態に係る情報提供システムのユーザー端末に表示されるアイテム情報の買取オファーの入力ボックスの例を示す正面図である。
【図６】本発明の一実施形態に係る情報提供システムのユーザー端末に表示されるマイページ画面の例を示す正面図である。
【図７】本発明の一実施形態に係る情報提供システムのユーザー端末に表示される買取オファーの受信リスト画面の例を示す正面図である。
【図８】本発明の一実施形態に係る情報提供システムのオファー先のユーザー端末に表示される取引ナビゲーション画面の例を示す正面図である。
【図９】本発明の一実施形態に係る情報提供システムのユーザー端末に表示される買取オファーの受信リスト画面の例を示す正面図である。
【図１０】本発明の一実施形態に係る情報提供システムのオファー元のユーザー端末に表示される取引ナビゲーション画面の例を示す正面図である。
【発明を実施するための形態】
【００１５】
以下、本発明の実施の形態について図面を参照しながら説明する。以下の実施形態は、本発明の好適な具体例であって、種々の好ましい技術を開示しているが、本発明の技術範囲はこれらの態様に限定されるものではない。
【００１６】
本発明の実施形態による情報提供システム１について図面を参照しながら説明する。図１に示すように、情報提供システム１では、サーバ２が、複数のユーザー端末３と、インターネット等の所定のネットワーク４を介して通信可能に接続される。情報提供システム１は、ユーザーが趣味・嗜好とするアイテムに関するアイテム情報５を投稿する投稿機能と、投稿されたアイテム情報５を閲覧する閲覧機能との両方をユーザー端末３に提供するように構成される。なお、ユーザーの趣味・嗜好のアイテムは、フィギュア、プラモデル、食玩等の有形の物品に限定されず、本サービス提供者の投稿による無形のキャンペーン、テーマ（お題）、イベント等を含んでよい。図１では、サーバ２が２つのユーザー端末３と接続される例を図示したが、サーバ２は３つ以上のユーザー端末３と接続されてよい。
【００１７】
サーバ２は、ユーザー端末３によるアイテム情報５の投稿及び閲覧を制御して情報提供システム１を管理する。サーバ２は、例えば、ウェブサーバ、アプリケーションサーバ、データベース等の複数のコンピュータを組み合わせて構成されてよい。サーバ２は、ユーザー端末３から投稿されたアイテム情報５を受信して格納し、また、格納しているアイテム情報５をユーザー端末３からの閲覧要求に応じて送信する。例えば、サーバ２は、アイテム情報５を投稿、閲覧する機能を有するアプリケーション（以下、投稿閲覧アプリ７と称する）を、ダウンロード方式等でユーザー端末３へ配信するように構成される。なお、投稿閲覧アプリ７を配信するために、サーバ２とは別の配信サーバを利用してもよい。投稿閲覧アプリ７の詳細は後述する。
【００１８】
サーバ２は、異なるユーザー端末３であっても、ユーザー情報６が同一であれば、同一のユーザーと認識する。サーバ２は、複数のユーザーのそれぞれに対して、１以上のアイテムのアイテム情報５を格納する。サーバ２は、各アイテムに対して設定可能なアイテム情報５として、１以上のアイテム画像、カテゴリ（フィギュア、プラモデル、食玩、イベント等）、鑑定額、１以上の検索用タグ、タイトル（物品名やイベント名）、アイテムの説明文等を格納する。また、サーバ２は、ユーザー毎に投稿されたアイテム情報５の総鑑定額及び評価数（例えば、「いいね」獲得数）や、アイテム情報５毎の投稿日時等を格納する。
【００１９】
また、サーバ２は、投稿閲覧アプリ７を利用するユーザー端末３から、ユーザーのユーザー情報６の登録を受けて記憶する。ユーザー情報６は、例えば、アカウントＩＤ、パスワード、ユーザー名、Ｅメールアドレス等を含む。ユーザー名は、実名に限らず、匿名でもよい。更に、ユーザー情報６は、ユーザー画像を含んでよく、ユーザー画像は、ユーザー自身の画像に限らず、ユーザーが任意に選択した画像でよい。なお、サーバ２は、複数のユーザーのユーザー情報６を登録してよい。登録されたユーザー情報６（例えば、アカウントＩＤ及びパスワード）を用いることで、ユーザー端末３の投稿閲覧アプリ７がログイン可能となる。
【００２０】
ユーザー端末３は、スマートフォン、タブレット端末、パーソナルコンピュータ等のインターネットによる通信可能な端末が適用される。ユーザー端末３は、図示しないが、例えば、ＣＰＵ等の制御部と、ＲＯＭやＲＡＭ等の記憶部と、操作部と、液晶ディスプレイ等の表示部と、ＣＣＤ等の撮影部と、外部と通信するインタフェース装置とを備えて構成され、スマートフォンやタブレット端末の場合には、操作部はタッチパネルの表示部と一体に構成される。ユーザー端末３は、記憶部に記憶されたデータやプログラムを制御部で実行することにより、各種機能を実現するように構成される。例えば、ユーザー端末３は、サーバ２からダウンロードした投稿閲覧アプリ７を記憶部に格納し、ユーザーの操作に応じて投稿閲覧アプリ７を実行する。
【００２１】
次に、ユーザー端末３で実行される投稿閲覧アプリ７について説明する。ユーザー端末３で起動された投稿閲覧アプリ７は、図２等に示すように、表示部の略全体にメインフレーム１０を表示し、メインフレーム１０の下端にメニューフレーム１１を表示する。メニューフレーム１１には、メインフレーム１０に表示される画面を選択するためのメニューキー（メニューアイコン）が表示され、例えば、左から順に、一覧画面キー１２、検索キー１３、投稿キー１４、ランキングキー１５、マイページキー１６が表示される。例えば、投稿閲覧アプリ７は、ログインしているか否かに拘らず、一覧画面キー１２、検索キー１３、ランキングキー１５を操作可能にする。なお、投稿閲覧アプリ７は、ログインしていない場合、投稿キー１４、マイページキー１６、後述の一覧画面２０におけるアイテム情報５（簡易情報２１）の選択の操作を制限する。
【００２２】
例えば、投稿キー１４、マイページキー１６、一覧画面２０におけるアイテム情報５（簡易情報２１）の選択が操作されると、投稿閲覧アプリ７は、ログイン画面を表示部に表示してユーザー情報６（例えば、アカウントＩＤ及びパスワード）の入力を促す。あるいは、設定済みのユーザー情報６を自動的に入力して自動ログインを行ってもよい。入力したユーザー情報６はサーバ２に送信され、サーバ２に登録されているユーザー情報６と比較されて認証されると、投稿閲覧アプリ７はログイン状態となる。以下、ログインした状態の投稿閲覧アプリ７について説明する。
【００２３】
メニューフレーム１１で投稿キー１４が選択されると、投稿閲覧アプリ７は、投稿機能として、メインフレーム１０に投稿画面を表示し、投稿画面では、新規に投稿するアイテム情報５（１以上のアイテム画像、カテゴリ、鑑定の可否、鑑定額、１以上の検索用タグ、タイトル、アイテムの説明文等）の各設定項目が表示される。投稿画面でアイテム情報５の設定が完了すると、設定されたアイテム情報５が投稿されてユーザー端末３からサーバ２に送信されて格納される。
【００２４】
例えば、投稿画面のアイテム画像の設定では、記憶部に既に記憶されている画像を選択してもよく、撮影部を起動して新たに画像を撮影してもよい。撮影時には、メインフレーム１０を撮影画面としてモニタ表示してよい。また、１以上のアイテム画像からサムネイル画像を選択してよい。カテゴリや検索用タグの設定では、予め用意された候補の名称から選択してもよく、任意に名称を新規作成してもよい。更に、投稿時に鑑定の拒否を設定すると、閲覧時に鑑定額の設定が不能になる。
【００２５】
メニューフレーム１１で一覧画面キー１２が選択されると、投稿閲覧アプリ７は、閲覧機能として、図２に示すように、メインフレーム１０に一覧画面２０を表示し、また、サーバ２へ閲覧要求を送信し、サーバ２に登録されているアイテム情報５をサーバ２から受信して一覧画面２０に表示する。なお、ログイン直後のメニューフレーム１１では、一覧画面キー１２が選択されてよい。
【００２６】
具体的には、一覧画面２０には、投稿者に拘らず、サーバ２に登録されているアイテム情報５の簡易情報２１が一覧表示され、簡易情報２１には、各アイテム情報５のサムネイル画像、タイトル、鑑定額等が含まれる。一覧画面２０は、１以上の簡易情報２１を縦方向に並べて表示し、メインフレーム１０には一覧画面２０の縦方向の一部（所定数の簡易情報２１）のみが表示されるが、画面を縦スクロールして一覧画面２０をスライドさせるとメインフレーム１０に表示される部分が変化する。また、一覧画面２０では、カテゴリに拘らず新規に投稿された順（新着順）に所定数のアイテム情報５の簡易情報２１を表示する新着表示や、何れかのカテゴリに限定したアイテム情報５の簡易情報２１を表示するカテゴリ表示をしてよく、画面を横スワイプ操作する毎に新着表示やカテゴリ表示が順次変更される。
【００２７】
また、一覧画面２０では、簡易情報２１を選択可能であり、一のアイテム情報５の簡易情報２１を選択すると、図３に示すように、そのアイテム情報５の詳細画面２５がメインフレーム１０に表示される。詳細画面２５には、例えば、１以上のアイテム画像、タイトル、「いいね」等の評価キー２６、買取オファーキー２７、鑑定キー２８、鑑定履歴キー２９、鑑定額、説明文、カテゴリ、検索用タグ、投稿日時等が、縦方向に並べて表示される。１以上のアイテム画像は、メインフレーム１０では一のアイテム画像のみが表示されるが、画面を横スワイプする毎にメインフレーム１０に表示されるアイテム画像が順次変更される。
【００２８】
アイテム情報５の詳細画面２５の評価キー２６には、そのアイテム情報５の評価数が表示される。評価キー２６は、投稿者及び閲覧者に拘らず操作可能であり、評価キー２６が操作されると、「いいね」等の評価が入力される。評価キー２６の入力操作に応じて、そのアイテム情報５の評価数が積算されて表示され、また、評価数の積算値は、サーバ２へ送信され、サーバ２に格納されているそのアイテム情報５の評価数がこの積算値によって更新される。
【００２９】
アイテム情報５の詳細画面２５の鑑定キー２８は、投稿者及び閲覧者に拘らず操作可能であり、鑑定キー２８の操作によって鑑定額が入力される。例えば、鑑定キー２８が操作されると、鑑定額の入力ボックスが表示され、この入力ボックスへの入力額が、そのアイテム情報５に既に設定されている鑑定額よりも多い場合、そのアイテム情報５の鑑定額が入力額に変更されて表示される。一方、入力額が、そのアイテム情報５に既に設定されている鑑定額よりも少ない場合、そのアイテム情報５の鑑定額は変更されない。変更された鑑定額は、サーバ２へ送信され、サーバ２に格納されているそのアイテム情報５の鑑定額が、変更された鑑定額によって更新される。なお、鑑定履歴キー２９が操作されると、図４に示すように、鑑定履歴画面３０が表示される。鑑定履歴画面３０では、更新に拘らず、鑑定額の入力履歴が時系列順に表示され、入力履歴では、入力ユーザー名、入力額、入力日時が表示される。
【００３０】
アイテム情報５の詳細画面２５の買取オファーキー２７は、投稿者以外の閲覧者によって操作可能であり、買取オファーキー２７の操作によって買取オファーが発信される。例えば、買取オファーキー２７が操作されると、図５に示すように、買取オファーの入力ボックス３１がポップアップ表示され、この入力ボックス３１に買取額を入力してオファーの決定操作をすると、そのアイテム情報５の投稿者に向けた買取オファーが、入力された買取額及び操作時のオファー日時と共にサーバ２へ送信される。なお、この買取額が、そのアイテム情報５に既に設定されている鑑定額よりも多い場合、そのアイテム情報５の鑑定額が買取額に変更される。
【００３１】
買取オファーは、サーバ２において、閲覧者である送信元（オファー元）のユーザーのユーザー情報６と、投稿者である送信先（オファー先）のユーザーのユーザー情報６のそれぞれに関連付けられて記録される。なお、買取オファーの発信後、詳細画面２５の買取オファーキー２７は、取引交渉中アイコンに変更されて表示され、また、一覧画面２０においても、対応するアイテム情報５の簡易情報２１に、取引交渉中アイコンが追加表示される。買取オファー発信後の取引交渉については後述する。
【００３２】
メニューフレーム１１で検索キー１３が選択されると、投稿閲覧アプリ７は、メインフレーム１０に検索キーワードの入力ボックスを表示し、この入力ボックスに検索キーワードが入力されると、閲覧機能として、その検索キーワードを含むタイトルや検索用タグのアイテム情報５に限定した一覧画面２０をメインフレーム１０に表示する。検索キーワードで限定した一覧画面２０は、上記の新着表示やカテゴリ表示の一覧画面２０と同様に構成され、同様の操作を受け付けるので、説明を省略する。
【００３３】
メニューフレーム１１でランキングキー１５が選択されると、投稿閲覧アプリ７は、サーバ２にユーザー情報６を登録したユーザーの投稿状況について、ランキング画面をメインフレーム１０に表示する。投稿閲覧アプリ７は、各ユーザーが投稿したアイテム情報５の総鑑定額や評価数、投稿数、及び総買取額に基づく独自の算出方法にて算出したポイントに応じてユーザーの投稿状況をランキング化し、ランキング画面でユーザー名をランキング表示する。
【００３４】
メニューフレーム１１でマイページキー１６が選択されると、投稿閲覧アプリ７は、図６に示すように、メインフレーム１０にマイページ画面３３を表示し、マイページ画面３３では、ログインしているユーザーのユーザー情報６が表示される。例えば、マイページ画面３３に表示されるユーザー情報６は、ユーザー名、ユーザー画像、総鑑定額、投稿リスト、評価リスト、買取オファー受信リスト、買取オファー送信リストを含む。
【００３５】
投稿リストは、ログインしているユーザー自身が投稿したアイテム情報５のリストであり、矢印状の「進む」キーが操作されると、上記した一覧画面２０と同様に表示される。評価リストは、他のユーザーが投稿したアイテム情報５であって、ログインしているユーザーが評価したアイテム情報５のリストであり、矢印状の「進む」キーが操作されると、上記した一覧画面２０と同様に表示される。
【００３６】
買取オファー受信リストは、ログインしているユーザーが投稿したアイテム情報５について、他のユーザーが送信した買取オファーのリストであり、矢印状の「進む」キーが操作されると、図７に示すように、買取オファーの受信リスト画面３４が表示される。この場合、他のユーザーがオファー元のユーザーであり、ログインしているユーザーがオファー先のユーザーである。
【００３７】
受信リスト画面３４には、各買取オファーの受信欄３５が縦方向に並べて表示され、受信欄３５には、買取オファーの情報、例えば、オファー元のユーザー名、買取額、オファー日時や他のアイテム情報５（例えば、タイトル）等が表示される。受信リスト画面３４は、買取オファーを拒否するための拒否キーを備え、受信欄３５は、選択チェックボックス等で選択可能であり、各受信欄３５が選択された状態で拒否キーが操作されると、選択された受信欄３５に対応する買取オファーは一斉に拒否される。拒否された買取オファーは、受信リスト画面３４から消去され、投稿閲覧アプリ７は、オファー元のユーザーに向けた拒否通知をサーバ２へ送信し、サーバ２は、更にこの拒否通知をオファー元のユーザー端末３へ送信する。
【００３８】
また、受信リスト画面３４の受信欄３５の矢印状の「進む」キーが操作されると、投稿閲覧アプリ７は、対応する買取オファーのオファー元のユーザーとの取引交渉に移行する。例えば、投稿閲覧アプリ７は、取引交渉のために、オファー元のユーザーとオファー先のユーザーとの間の取引ナビゲーションを確立し、図８に示すように、チャット形式の取引ナビゲーション画面３６を表示する。取引ナビゲーション画面３６では、両者はメッセージのやり取りによって交渉することができる。
【００３９】
オファー先のユーザー側の取引ナビゲーション画面３６では、交渉を確定する拒否キーや成立キーを表示する。拒否キーが操作されると、投稿閲覧アプリ７は、取引ナビゲーションを終了して受信リスト画面３４を表示し、拒否された買取オファーは、受信リスト画面３４から消去される。また、投稿閲覧アプリ７は、オファー元のユーザーに向けた拒否通知をサーバ２へ送信し、サーバ２は、更にこの拒否通知をオファー元のユーザー端末３へ送信する。
【００４０】
一方、成立キーが操作されると、投稿閲覧アプリ７は、オファー元のユーザーに向けた成立通知をサーバ２へ送信し、サーバ２は、成立通知に応じて、決済サービスの案内をオファー元のユーザー端末３へ送信する。この決済サービスは、例えば、買取で取引される金銭の決済を、サーバ２の外部の信頼性の高い決済処理機関に委託する。この決済が完了すると、投稿閲覧アプリ７は、取引ナビゲーションを終了して受信リスト画面３４を表示し、交渉成立した買取オファーは、受信リスト画面３４から消去される。
【００４１】
買取オファー送信リストは、ログインしているユーザーが、他のユーザーが投稿したアイテム情報５に対して送信した買取オファーのリストであり、矢印状の「進む」キーが操作されると、図９に示すように、買取オファーの送信リスト画面３７が表示される。この場合、ログインしているユーザーがオファー元のユーザーであり、他のユーザーがオファー先のユーザーである。
【００４２】
送信リスト画面３７には、各買取オファーの送信欄３８が縦方向に並べて表示され、送信欄３８には、買取オファーの情報、例えば、オファー先のユーザー名、買取額、オファー日時や他のアイテム情報５（例えば、タイトル）等が表示される。また、送信欄３８には、オファー先のユーザーから受けた未読のメッセージがある場合に点灯するメッセージランプが表示される。
【００４３】
また、送信リスト画面３７の送信欄３８の矢印状の「進む」キーが操作されると、投稿閲覧アプリ７は、対応する買取オファーのオファー元のユーザーとの取引交渉に移行する。例えば、投稿閲覧アプリ７は、取引交渉のために、オファー先のユーザーとオファー元のユーザーとの間の取引ナビゲーションを確立し、図１０に示すように、チャット形式の取引ナビゲーション画面３９を表示する。取引ナビゲーション画面３９では、両者はメッセージのやり取りによって交渉することができる。
【００４４】
なお、オファー元のユーザー側の取引ナビゲーション画面３９では、交渉を確定する拒否キーや成立キーは表示されない。オファー先のユーザーから拒否通知が送信された場合、オファー元のユーザー端末３はサーバ２から拒否通知を受信し、投稿閲覧アプリ７は、拒否通知に応じて、取引ナビゲーション画面３９において買取オファーが拒否されたメッセージを表示する。この拒否メッセージがオファー元のユーザーに認識され、例えば、タッチ操作されると、投稿閲覧アプリ７は、取引ナビゲーションを終了して送信リスト画面３７を表示し、拒否された買取オファーは、送信リスト画面３７から消去される。
【００４５】
オファー先のユーザーから成立通知が送信された場合、オファー元のユーザー端末３はサーバ２から決済サービスの案内を受信し、投稿閲覧アプリ７は、案内に応じて、取引ナビゲーション画面３９において決済サービスの案内メッセージを表示する。この決済サービスの案内に従って、オファー元のユーザーが、決済処理機関にアクセスし、買取で取引される金銭の支払いを完了すると、決済が完了する。決済が完了すると、投稿閲覧アプリ７は、取引ナビゲーションを終了して送信リスト画面３７を表示し、決済完了した買取オファーは、送信リスト画面３７から消去される。
【００４６】
換言すれば、本実施形態において、投稿閲覧アプリ７を用いてアイテム情報５を投稿するユーザー（投稿者）のユーザー端末３は、投稿者端末であり、投稿閲覧アプリ７を用いて他のユーザーが投稿したアイテム情報５を閲覧するユーザー（閲覧者）のユーザー端末３は、閲覧者端末である。即ち、買取オファーを発信するユーザー端末３は閲覧者端末である。
【００４７】
本実施形態では、上述のように、情報提供システム１は、投稿者端末としてのユーザー端末３と、閲覧者端末としてのユーザー端末３と、投稿者端末及び閲覧者端末と通信可能に接続されるサーバ２とを備える。投稿者端末は、投稿者の趣味・嗜好のアイテムを示すアイテム情報５を、投稿者の投稿に応じてサーバ２へ送信する。サーバ２は、投稿者端末から投稿されたアイテム情報５を受信して格納し、また、閲覧者端末からの閲覧要求に応じて、格納しているアイテム情報５を閲覧者端末へ送信する。閲覧者端末は、サーバ２から受信したアイテム情報５を一覧画面２０で選択可能に表示し、一覧画面２０で選択された所定のアイテム情報５に対応する所定のアイテムの買取オファーの操作を受け付け、また、買取オファーの操作に応じて、所定のアイテム情報５を投稿した所定の投稿者端末に向けた買取オファーをサーバ２へ送信する。サーバ２は、閲覧者端末から買取オファーを受信して所定の投稿者端末へ送信する。所定の投稿者端末は、買取オファーを受信して、買取オファーに対する成立又は拒否の選択を受け付け、選択された成立又は拒否をサーバ２へ送信する。サーバ２は、所定の投稿者端末から、買取オファーに対する成立を受信した場合には、所定の投稿者端末と閲覧者端末との間の取引ナビゲーションを確立し、また、買取オファーに対する拒否を受信した場合には、閲覧者端末へ拒否を送信する。
【００４８】
このような構成により、本実施形態によれば、情報提供システム１において、趣味・嗜好のアイテムを投稿者に拘らず公開して閲覧することができる。これにより、アイテム公開の普及率が向上し、アイテムを探し易くなるため、閲覧者数を増加することができる。また、投稿者が、本来手放す予定のない、質の高いアイテムや希少なアイテムを公開している場合でも、閲覧者に買取の機会を与えることができる。これにより、投稿者によるアイテムの制作、収集、公開の意欲が向上する。このように、投稿者及び閲覧者の利便性を向上しつつ趣味・嗜好のアイテムを公開することが可能となる。
【００４９】
また、本実施形態では、サーバ２は、投稿者端末毎の買取オファーの総買取額に基づいて、投稿者端末をランキング化する。
【００５０】
このような構成により、本実施形態によれば、投稿者の投稿の競争率が向上すると共に投稿者の買取オファーに対する受諾が増加し、これに応じて閲覧者のアイテム閲覧の満足度を向上することができる。
【００５１】
また、情報提供システム１は、ランキングが上位になる程、あるいは、総買取額やランキングに応じて付与されるポイントが多い程、ユーザーの投稿閲覧アプリ７の利用にレアな特典を提供してもよい。
【００５２】
なお、本実施形態では、情報提供システム１は、ユーザー端末３に提供した投稿閲覧アプリ７によってアイテム情報５の投稿機能及び閲覧機能を実現する例を説明したが、本発明はこれに限定されない。例えば、他の実施形態では、情報提供システム１は、ユーザー端末３に備わるウェブブラウザに対して、サーバ２が投稿閲覧アプリ７と同様の機能を提供するように構成されてもよい。
【符号の説明】
【００５３】
１  情報提供システム
２  サーバ
３  ユーザー端末
４  ネットワーク
５  アイテム情報
６  ユーザー情報
７  投稿閲覧アプリ
【図１】
2019215613.tif 000003
【図２】
2019215613.tif 000004
【図３】
2019215613.tif 000005
【図４】
2019215613.tif 000006
【図５】
2019215613.tif 000007
【図６】
2019215613.tif 000008
【図７】
2019215613.tif 000009
【図８】
2019215613.tif 000010
【図９】
2019215613.tif 000011
【図１０】
2019215613.tif 000012